(57)【要約】【課題】壁パネルの表面にコーティング層を形成して壁パネルの付加価値を高めつつ、パネルジョイナーを介しての支柱部材に対する安定した取付状態も確保できる浴室壁パネルの取付構造を提供する。【解決手段】支柱部材は、一組の壁パネルの隣接部の裏側に位置する奥面部と、奥面部から壁パネル側に向けて延出する一対の側面部と、側面部の先端に続いて設けられて側面部の内側に折り曲げられ開口を隔てて対向する一対の折曲部とを有する中空柱状に形成され、パネルジョイナーは、開口から支柱部材の内部に入り込んで一対の折曲部間に嵌合する湾曲部を有し、壁パネルは、浴室に臨む面にコーティング層が形成された表面材の側端部を浴室に臨む面の反対面側に折り曲げられてなり、パネルジョイナーの湾曲部の内側に嵌合する突部を有し、突部と湾曲部との接触部にすべり止め手段が設けられた。【選択図】図１
2008163632.tif 000002
【特許請求の範囲】
【請求項１】
浴室内で隣接する一組の壁パネルが、パネルジョイナーを介して支柱部材に取り付けられた浴室壁パネルの取付構造であって、
前記支柱部材は、前記一組の壁パネルの隣接部の裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、
前記パネルジョイナーは、前記開口から前記支柱部材の内部に入り込んで前記一対の折曲部間に嵌合する湾曲部を有し、
前記壁パネルは、前記浴室に臨む面にコーティング層が形成された表面材の側端部を前記浴室に臨む面の反対面側に折り曲げられてなり、前記パネルジョイナーの前記湾曲部の内側に嵌合する突部を有し、
前記突部と前記湾曲部との接触部にすべり止め手段が設けられたことを特徴とする浴室壁パネルの取付構造。
【請求項２】
前記すべり止め手段は、前記パネルジョイナーに設けられたことを特徴とする請求項１記載の浴室壁パネルの取付構造。
【請求項３】
前記すべり止め手段は、前記パネルジョイナーにおいて、前記壁パネルの前記突部と接触する部分のみに設けられたことを特徴とする請求項２記載の浴室壁パネルの取付構造。
【請求項４】
浴室内で隣接する一組の壁パネルが、パネルジョイナーを介して支柱部材に取り付けられた浴室壁パネルの取付構造であって、
前記支柱部材は、前記一組の壁パネルの隣接部の裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、
前記パネルジョイナーは、前記開口から前記支柱部材の内部に入り込んで前記一対の折曲部間に嵌合する湾曲部を有し、
前記壁パネルは、前記浴室に臨む面にコーティング層が形成された表面材の側端部を前記浴室に臨む面の反対面側に折り曲げられてなる突部を有し、
隣接する前記壁パネルのそれぞれの前記突部は、間にすべり止め手段を介在させて互いに重ね合わされつつ前記パネルジョイナーの前記湾曲部の内側に嵌合していることを特徴とする浴室壁パネルの取付構造。
【発明の詳細な説明】
【技術分野】
【０００１】
本発明は、浴室内で隣接する浴室壁パネルの取付構造に関する。
【背景技術】
【０００２】
従来、浴室に臨む面を略面一にして隣接される一対の浴室壁パネルを、パネルジョイナーを介して、支柱部材に取り付けた構造が知られている（例えば、特許文献１参照）。
【０００３】
そのような壁パネルにおいて、表面の防汚性を図るべく、例えば撥水性を有するコーティング層を形成した場合には、そのコーティング層がすべりやすいことから、壁パネルとパネルジョイナーとの嵌合部分（接触部分）がすべりやすくなり、壁パネルがパネルジョイナーから外れやすくなることが懸念される。
【特許文献１】特許第２６４８０２３号公報
【発明の開示】
【発明が解決しようとする課題】
【０００４】
本発明は、壁パネルの表面にコーティング層を形成して壁パネルの付加価値を高めつつ、パネルジョイナーを介しての支柱部材に対する安定した取付状態も確保できる浴室壁パネルの取付構造を提供する。
【課題を解決するための手段】
【０００５】
本発明の一態様によれば、浴室内で隣接する一組の壁パネルが、パネルジョイナーを介して支柱部材に取り付けられた浴室壁パネルの取付構造であって、前記支柱部材は、前記一組の壁パネルの隣接部の裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、前記パネルジョイナーは、前記開口から前記支柱部材の内部に入り込んで前記一対の折曲部間に嵌合する湾曲部を有し、前記壁パネルは、前記浴室に臨む面にコーティング層が形成された表面材の側端部を前記浴室に臨む面の反対面側に折り曲げられてなり、前記パネルジョイナーの前記湾曲部の内側に嵌合する突部を有し、前記突部と前記湾曲部との接触部にすべり止め手段が設けられたことを特徴とする浴室壁パネルの取付構造が提供される。
【０００６】
また、本発明の他の一態様によれば、浴室内で隣接する一組の壁パネルが、パネルジョイナーを介して支柱部材に取り付けられた浴室壁パネルの取付構造であって、前記支柱部材は、前記一組の壁パネルの隣接部の裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、前記パネルジョイナーは、前記開口から前記支柱部材の内部に入り込んで前記一対の折曲部間に嵌合する湾曲部を有し、前記壁パネルは、前記浴室に臨む面にコーティング層が形成された表面材の側端部を前記浴室に臨む面の反対面側に折り曲げられてなる突部を有し、隣接する前記壁パネルのそれぞれの前記突部は、間にすべり止め手段を介在させて互いに重ね合わされつつ前記パネルジョイナーの前記湾曲部の内側に嵌合していることを特徴とする浴室壁パネルの取付構造が提供される。
【発明の効果】
【０００７】
本発明によれば、壁パネルの表面にコーティング層を形成して壁パネルの付加価値を高めつつ、パネルジョイナーを介しての支柱部材に対する安定した取付状態も確保できる浴室壁パネルの取付構造が提供される。
【発明を実施するための最良の形態】
【０００８】
以下、図面を参照し、本発明の実施形態について説明する。
【０００９】
［第１の実施形態］
図１は、本発明の第１の実施形態に係る浴室壁パネルの取付構造を表す模式断面図である。
【００１０】
本発明の実施形態に係る浴室壁パネルの取付構造は、浴室内で略面一に隣接する一組の壁パネル３０ａ、３０ｂに対して適用されるいわゆる平ジョイント部の取付構造である。壁パネル３０ａと壁パネル３０ｂとは、パネルジョイナー２０を介して支柱部材（平ジョイナー）１０に対して取り付けられる。
【００１１】
支柱部材１０は、例えば長尺状の鋼板を折り曲げて中空柱状にした構造を有する。支柱部材１０は、壁パネル３０ａと壁パネル３０ｂとの隣接部の裏側（浴室１００とは反対側）で両壁パネル３０ａ、３０ｂに対して離間して位置する奥面部１１と、奥面部１１から壁パネル３０ａ、３０ｂの裏側に向けて延出し略平行に対向する一対の側面部１２と、それぞれの側面部１２の先端に続いて設けられて側面部１２の内側に折り曲げられた折曲部１３とを有し、これらは一体に形成されている。
【００１２】
一対の折曲部１３は、支柱部材１０の中空の内部に通じる開口５を隔てて互いに対向している。各折曲部１３は、開口５から支柱部材１０の内部に入り込んだ傾斜部１４を有する。傾斜部１４は、開口５側から支柱部材１０の内部に入るにしたがって徐々に側面部１２に近づくように傾斜している。
【００１３】
次に、パネルジョイナー２０について、図１に加えて、図２に表す斜視図も参照して説明する。
【００１４】
パネルジョイナー２０は、弾性変形可能な中硬質材からなる断面略「Ω」字状の長尺部材として構成され、奥面部２２、湾曲部２１およびウイング部２５を有する。パネルジョイナー２０の奥面部２２は、支柱部材１０の奥面部１１と壁パネル３０ａ、３０ｂとの間に位置し、その奥面部２２から壁パネル３０ａ、３０ｂ側に向けて延出して一対の湾曲部２１が設けられている。ウイング部２５は、側面部２１の先端から外側に延び、さらに壁パネル３０ａ、３０ｂから遠ざかる方向へと屈曲している。奥面部２２、湾曲部２１およびウイング部２５は一体に設けられている。
【００１５】
パネルジョイナー２０の奥面部２２において浴室１００に向けられる内側には、弾性変形可能な軟質材からなるシール部２６が設けられている。シール部２６は、浴室１００側の先端が２つに分かれた「Ｙ」字または「Ｖ」字状の断面形状を呈する。
【００１６】
壁パネル３０ａ、３０ｂは、例えば石膏等の裏打ち材３２で裏打ちされた表面材３１を有する。表面材３１は、図３に表すように、例えば鋼板４１に樹脂層４２を接着してなり、浴室に臨む面となる樹脂層４２の表面には、コーティング層４３が形成されている。
【００１７】
コーティング層４３を表面材３１の表面に形成することで、壁パネル３０ａ、３０ｂの表面の凹凸を少なくして平滑性を高めることができる。これにより、壁パネル３０ａ、３０ｂ表面に汚れがついても落としやすくなり掃除効率が向上する。さらに、コーティング層４３は撥水性（例えば水の接触角が９０°以上）を有し、壁パネル３０ａ、３０ｂ表面に汚れがつきにくく、また汚れがついても長時間残りにくい。あるいは、親水性を有するコーティング層４３を表面材３１の表面に形成してもよく、この場合でも防汚効果が得られる。
【００１８】
表面材３１の側端部が、浴室１００に臨む面の反対面側に略「Ｊ」字状に折り曲げられることで、ばね性を有する突部３３が構成されている。突部３３は、表面材３１における浴室１００に臨む面に対して略直角に浴室１００の反対側に折り曲げられた側面部３４と、側面部３４の奥側の先端から内側に折り曲げられた奥面部３５と、奥面部３５の先端から表面材３１の裏面側に折り返された折返し部３６とを有する。
【００１９】
以上説明した支柱部材１０、パネルジョイナー２０および壁パネル３０ａ、３０ｂは、以下に説明するようにして互いに連結される。
【００２０】
支柱部材１０は、その開口５を浴室１００側に向けた状態で、壁パネル３０ａ、３０ｂが設置される位置に応じて、洗い場床、浴槽側床パンまたは浴槽リムなどの上に立設される。
【００２１】
パネルジョイナー２０の奥面部２２及び湾曲部２１は、支柱部材１０の開口５から支柱部材１０の内部に入り込み、ウイング部２５は支柱部材１０の折曲部１３の前端部から側面部１２にかけて部分を支柱部材１０の外側から囲むように係合する。
【００２２】
パネルジョイナー２０の奥面部２２は、支柱部材１０の内部で支柱部材１０の奥面部１１に対向する。湾曲部２１における凸部２３近傍部分は、支柱部材１０の折曲部１３の傾斜部１４の内面に弾接し、これにより、湾曲部２１は、支柱部材１０の内部で一対の折曲部１３間に嵌合した状態となる。
【００２３】
壁パネル３０ａ、３０ｂそれぞれの突部３３は、互いの側面部３４を向き合わせた状態で、パネルジョイナー２０の湾曲部２１の内側に嵌め込まれる。パネルジョイナー２０のシール部２６は２つに分かれた先端部分を自然状態から広げた状態で突部３３の奥面部３５に弾接する。すなわち、パネルジョイナー２０のシール部２６は、壁パネル３０ａ、３０ｂの突部３３が湾曲部２１の内側に挿入嵌合された際、弾発して突部３３をその挿入方向とは逆方向に弾性的に押圧し、これによって、突部３３の折返し部３６が、パネルジョイナー２０の湾曲部２１の内面に押し当てられ、壁パネル３０ａ、３０ｂはパネルジョイナー２０を介して支柱部材１０に対してしっかりと固定される。
【００２４】
シール部２６は防水性を有する材料からなり、そのシール部２６が壁パネル３０ａ、３０ｂの突部３３の奥面部３５に弾接密着することで、壁パネル３０ａ、３０ｂの裏側への湯水の漏れが防止される。
【００２５】
前述したように、壁パネル３０ａ、３０ｂに防汚性を与えるために、表面の平滑性を高めたり、撥水性を有するなどの機能を有するコーティング層４３を表面材３１に形成した場合、その表面材３１の側端部を折り曲げてなる突部３３と、パネルジョイナー２０の湾曲部２１との接触部分がすべりやすくなり、壁パネル３０ａ、３０ｂがパネルジョイナー２０から外れやすくなる問題が生じることを本発明者等は知得した。
【００２６】
パネルジョイナー２０に嵌合している壁パネル３０ａ、３０ｂを外れにくくするために、各部材の取り合い寸法や形状の設計を変えるなどして嵌合部における嵌合力を強めることが考えられるが、例えばリフォームのときなどに壁パネル３０ａ、３０ｂの取り外しが困難になったり、またコーティング層４３を形成した壁パネル用に特別に設計した部品を用意することは、部品の汎用性を低下させ、さらに製造や部品管理を煩雑にし製造コストの上昇をまねく。
【００２７】
現状、生産効率を考慮して、壁パネル３０ａ、３０ｂの表面材３１は、複数枚の壁パネル分の大きさの鋼板４１に対して、一括して樹脂層４２やコーティング層４３を形成した上で、複数枚に分割し、さらに分割した表面材３１の側端部を折り曲げて突部３３を加工している。このとき、突部３３となるべき部分の表面にマスキングなどをしてコーティング層４３を形成しないようにすることも考えられるが、突部３３だけにコーティング層４３を形成しないまたは除去する処理をすることは、余分な工程数の増加をまねき、また分割する前の大きな鋼板の状態では、どこの部分が分割後に折り曲げられて突部３３となるかを認識するのは困難である。
【００２８】
そこで、本実施形態では、壁パネル３０ａ、３０ｂの突部３３と、パネルジョイナー２０の湾曲部２１とが接触する部分に、すべり止め手段５０（図２において斜線で表す）を設けている。すべり止め手段５０は、具体的には、壁パネル３０ａ、３０ｂの突部３３の折返し部３６が接触する部分である湾曲部２１における凸部２３近傍部分に塗布された例えば樹脂系材料からなる。
【００２９】
このすべり止め手段５０を設けることで、生産性を考慮して突部３３の表面にまでコーティング層４３を形成しても、その突部３３とパネルジョイナー２０の湾曲部２１との接触部分におけるすべりを抑制することができ、突部３３がパネルジョイナー２０から不所望に外れてしまうのを防ぐことができる。すなわち、本実施形態によれば、壁パネル３０ａ、３０ｂに対して表面防汚性などの付加価値を付与しつつ、壁パネル３０ａ、３０ｂの安定した取付状態を確保できる。
【００３０】
すべり止め手段５０としては、上記湾曲部２１に塗布したものに限らず、湾曲部２１に貼り付けられたテープ状のもの、あるいは湾曲部２１の表面に例えばサンディング処理やブラスト処理、薬液処理を施して粗面化されたものも含む。
【００３１】
すべり止め手段５０は、パネルジョイナー２０の湾曲部２１に設けることに限らず、壁パネル３０ａ、３０ｂの突部３３において、湾曲部２１に接触する部分である折返し部３６に設けてもよい。
【００３２】
ただし、折り曲げられた部分に対して前述したようなすべり止め処理を施すのは作業性が悪く、また、表面材３１を分割する前の状態ですべり止め手段５０を設ける場合には、分割後にどこの部分が折り曲げられて突部３３となるのかの認識が難しく、さらに、分割後の壁パネルが浴室内で必ずしも平ジョイント部に設けられるとは限らず、パネルジョイナー２０との嵌合構造が採用されないコーナージョイント部に設けられる可能性もあるため、前述した実施形態のように、パネルジョイナー２０の湾曲部２１にすべり止め手段５０を設けることが望ましい。このようにすれば、壁パネル３０ａ、３０ｂは、今までと同じようにして汎用性の高いものを量産でき、製造コストの上昇をまねかない。
【００３３】
作業性を考慮すると、すべり止め手段５０を、パネルジョイナー２０の湾曲部２１の内側の全面もしくは比較的広い範囲にわたって設けた方が楽である。しかし、壁パネル３０ａ、３０ｂの突部３３と、パネルジョイナー２０の湾曲部２１とのすべりを防止するには、少なくとも突部３３と湾曲部２１とが接触する部分にすべり止め手段５０があればよい。
【００３４】
パネルジョイナー２０における壁パネル３０ａ、３０ｂの突部３３との接触部より開口５側（入口側）にはすべり止め手段５０を設けずに、すべり止め手段５０を、突部３３と湾曲部２１との接触部のみに設ければ、突部３３の折返し部３６を湾曲部２１の内面に接触させながら奥に押し込む際に、すべり止め手段５０が抵抗にならず、むしろ折返し部３６の表面にも形成されたコーティング層４３のすべり性を利用してその押し込み作業を楽に行える。
【００３５】
また、突部３３を開口５から浴室１００側に抜いて湾曲部２１から取り外す際にも、湾曲部２１において突部３３との接触部分よりも開口５側の部分にはすべり止め手段５０が存在せず、突部３３の折返し部３６を湾曲部２１の内面に接触させながら浴室１００側に抜く際に、すべり止め手段５０が抵抗にならず、むしろ折返し部３６の表面にも形成されたコーティング層４３のすべり性を利用して壁パネル３０ａ、３０ｂの取り外し作業を楽に行える。
【００３６】
なお、パネルジョイナー２０における突部３３との接触部よりも奥側にすべり止め手段５０があっても、壁パネル３０ａ、３０ｂの取り付け、取り外しの妨げにはならない。
【００３７】
壁パネル３０ａ、３０ｂの突部３３においてパネルジョイナー２０のシール部２６と接触する部分にはすべり止め手段を設けないことが好ましい。シール部２６は、壁パネル３０ａ、３０ｂの突部３３の奥面部３５に弾接密着することで、壁パネル３０ａ、３０ｂの裏側への湯水の漏れが防止されるものであり、その部分にすべり止め手段を設けると水密性が悪化するおそれがあるためである。
【００３８】
パネルジョイナー２０は、壁パネル３０ａ、３０ｂを支柱部材１０に支えるための仲介部材であり、また浴室ユニットの骨組みの一部としても機能するため、パネルジョイナー２０は硬質である必要がある。このようなパネルジョイナー２０に対して別体で設けるすべり止め手段を硬質にしてしまうと壁パネル３０ａ、３０ｂの取り付け、取り外しが堅くなる（従来より過大な力を要する）ため、すべり止め手段はパネルジョイナー２０及び壁パネル３０ａ、３０ｂより軟質、もしくは壁パネル３０ａ、３０ｂの突部３３との圧接力を受けて変形可能な材質とする必要がある。
【００３９】
すべり止め手段の具体例として、パネルジョイナー２０に塗布される松ヤニ等のすべり止め性を有する塗料、ペフ系の塗料、シリコンなどの接着剤系材料、また、硬質のパネルジョイナー２０と、硬質の壁パネル３０ａ、３０ｂの突部３３との接触部に当接するように介在される嵌合用の別部材などが挙げられ、このようなすべり止め手段に共通の特性として、硬質のパネルジョイナー２０及び壁パネル３０ａ、３０ｂにおける前記接触部表面よりも摩擦力（具体的には表面粗さ又は接着力）が大きいということが言える。
【００４０】
また、パネルジョイナー２０と、壁パネル３０ａ、３０ｂの折返し部３６との間の隙間に、折返し部３６と嵌合する部材をすべり止め手段として介在させ、前記両者の間の隙間を小さくしてすべり止めを図ってもよい。
【００４１】
すべり止め手段はパネルジョイナー２０に対して別体であることに限らず、すべり止め手段とパネルジョイナー２０とを一体にした構成であってもよい。
【００４２】
例えば、パネルジョイナー２０における壁パネル３０ａ、３０ｂの突部３３との接触部の厚みを他の部分より厚くしてすべり止め手段を構成してもよい。この場合、パネルジョイナー２０における開口５側（入口側）の部分を、前記すべり止め手段として厚くした部分よりも厚くしてしまうと、壁パネル３０ａ、３０ｂの取り付け、取り外しが困難になるため、すべり止め手段として厚くする部分（突部３３との接触部）は、そのすべり止め手段よりも開口５側（入口側）の部分よりも厚いと規定できる。
【００４３】
また、パネルジョイナー２０における壁パネル３０ａ、３０ｂの突部３３との接触部の摩擦力（表面粗さ）が他の部分よりも大きくなるように例えば凹凸を形成してすべり止め手段を構成してもよい。この場合も、壁パネル３０ａ、３０ｂの取り付け、取り外しを容易にする観点から、すべり止め手段として摩擦力を高める部分（突部３３との接触部）は、そのすべり止め手段よりも開口５側の部分よりも摩擦力（表面粗さ）が大きいと規定できる。
【００４４】
また、パネルジョイナー２０における壁パネル３０ａ、３０ｂの突部３３との接触部の材質を部分的に変えるなどしてその部分の摩擦力（表面粗さまたは接着力）が、壁パネル３０ａ、３０ｂの突部３３におけるパネルジョイナー２０との接触部の摩擦力（表面粗さまたは接着力）よりも大きくなるようにしてすべり止め手段を構成してもよい。
【００４５】
すべり止め手段は、パネルジョイナー２０ではなく、壁パネル３０ａ、３０ｂ側に具備させてもよい。例えば、壁パネル３０ａ、３０ｂにおけるパネルジョイナー２０との接触部（具体的には、折返し部３６または突部３３全体）のコーティング層４３を剥がして、その接触部の表面粗さを、壁パネル３０ａ、３０ｂにおける浴室１００に面している部分（コーティング層４３が形成されている部分）の表面粗さよりも大きくすることですべり止め手段を構成してもよい。
【００４６】
壁パネル３０ａ、３０ｂに防汚性を付与するコーティング層４３に求められる特性の一つに表面平滑性がある。その防汚性を得るべく、コーティング層４３表面の表面粗さは、０（ｎｍ）より大きい範囲において、１．５（ｎｍ）以下、好ましくは１（ｎｍ）以下、より好ましくは０．５（ｎｍ）以下である。なお、鋼板の表面にＰＥＴ／ポリエステルのフィルムを２（ｎｍ）以上ラミネートした従来品は、本実施形態におけるコーティング層４３を形成した壁パネルより防汚性が劣っていた。
【００４７】
また、コーティング層４３が撥水性を有する場合にも、壁パネル３０ａ、３０ｂに防汚性を付与できる。そのようなコーティング層４３として、撥水性の官能基（メチル基）を有している防汚塗料を用いることができる。そのような撥水性を有するコーティング層４３における水との接触角は、１８０°より小さい範囲において、９０°以上、好ましくは１００°以上である。なお、鋼板の表面にＰＥＴ／ポリエステルのフィルムをラミネートした従来品では、水との接触角は８０°程度であり、本実施形態におけるコーティング層４３を形成した壁パネルより防汚性が劣っていた。コーティング層４３が撥水性を有する場合には、特に前述したパネルジョイナー２０との接触部におけるすべりが生じやすく、そのようなものに対して前述したすべり止め手段を適用することは特に有効となる。
【００４８】
また、コーティング層４３が親水性を有する場合にも、壁パネル３０ａ、３０ｂに防汚性を付与できる。そのようなコーティング層４３として、親水基（水酸基など）を有している防汚塗料を用いることができる。そのような親水性を有するコーティング層４３における水との接触角は、０°より大きい範囲において、２０°以下、好ましくは１０°以下である。
【００４９】
［第２の実施形態］
図４は、本発明の第２の実施形態に係る浴室壁パネルの取付構造を表す模式断面斜視図である。なお、前述した第１の実施形態と同じ構成部分には同一の符号を付しその詳細な説明は省略する。
【００５０】
本実施形態では、互いに重ね合わされつつパネルジョイナー２０の湾曲部２１の内側に嵌合している壁パネル３０ａ、３０ｂそれぞれの突部３３の側面部３４間に、すべり止め手段６０を介在させている。
【００５１】
すべり止め手段６０は、例えばテープ状のものであるが、これに限らず、一対の突部３３の側面部３４において他方と向き合う側の面に塗布された樹脂系材料であってもよく、あるいは、一対の突部３３の側面部３４において他方と向き合う側の面に例えばサンディング処理やブラスト処理、薬液処理を施して粗面化されたものもすべり止め手段６０として用いてもよい。このように、一対の突部３３の側面部３４において他方と向き合う側の面にすべり止め手段６０を備えたことで、一対の突部３３の側面部３４どうしの密着性が高まると共に、その隙間が小さくなるため、止水性も付与することが可能となる。
【００５２】
本実施形態によれば、生産性を考慮して突部３３の表面にまでコーティング層４３を形成しても、その突部３３どうしのすべりを抑制することができ、突部３３がパネルジョイナー２０から不所望に外れてしまうのを防ぐことができる。すなわち、本実施形態においても、壁パネル３０ａ、３０ｂに対して表面防汚性などの付加価値を付与しつつ、壁パネル３０ａ、３０ｂの安定した取付状態を確保できる。
【００５３】
なお、第１の実施形態のように突部３３とパネルジョイナー２０の湾曲部２１との接触部にすべり止め手段５０を設け、なおかつ第２の実施形態のように突部３３の側面部３４間にもすべり止め手段６０を設ければ、突部３３とパネルジョイナー２０との嵌合状態を、より安定して維持することができる。これは、壁パネル３０ａ、３０ｂとパネルジョイナー２０との強い嵌合力が必要な場合（例えば壁パネル３０ａ、３０ｂに手すりを取り付け、使用者がその手すりに荷重をかけるなどして壁パネル３０ａ、３０ｂに対して、パネルジョイナー２０から引き抜かれる方向に大きな力が作用することが想定される場合など）に有効である。
【図面の簡単な説明】
【００５４】
【図１】本発明の第１の実施形態に係る浴室壁パネルの取付構造を表す模式断面図である。
【図２】図１に表すパネルジョイナーの要部の斜視図である。
【図３】図１に表す壁パネルにおける表面材の構成を表す模式図である。
【図４】本発明の第２の実施形態に係る浴室壁パネルの取付構造を表す模式断面斜視図である。
【符号の説明】
【００５５】
５…開口、１０…支柱部材、１１…奥面部、１２…側面部、１３…折曲部、２０…パネルジョイナー、２１…湾曲部、２５…ウイング部、３０ａ，３０ｂ…壁パネル、３１…表面材、３２…裏打ち材、３３…突部、４３…コーティング層、５０…すべり止め手段、６０…すべり止め手段、１００…浴室
【図１】
2008163632.tif 000003
【図２】
2008163632.tif 000004
【図３】
2008163632.tif 000005
【図４】
2008163632.tif 000006